(57)【要約】【課題】シャッターカーテンなどの開閉手段と対向面との間に不正に隙間を形成されて、この隙間から不正に侵入されることを防止する。【解決手段】不正侵入防止装置は、開口部を開閉する開閉手段の閉鎖時に、開閉手段の閉鎖側先端部とそれに対向する対向面との間を覆うように保護する侵入防止板を備えたものである。開閉手段の先端部と対向面との間を覆うことによって、開閉部材と対向面との間に工具などを差し込むことができなくなるために、不正な侵入を防止することができる。また、侵入防止板を対向面内に予め収納しておいて、開閉手段の閉鎖時に出現させるようにした。侵入防止板は閉鎖時に対向面から回転して出現し、保護状態からはさらに回転しないような機構を有する。【選択図】      図１
2005036396.tif 000002
【特許請求の範囲】
【請求項１】
開口部を開閉する開閉手段の閉鎖時に、前記開閉手段の閉鎖側先端部と前記閉鎖側先端部に対向する対向面との間を覆うように保護する侵入防止手段を備えたことを特徴とする不正侵入防止装置。
【請求項２】
請求項１において、前記侵入防止手段は、前記開閉手段の開放時には前記対向面内に収納されており、前記開閉手段の閉鎖時に前記対向面から出現するように構成されていることを特徴とする不正侵入防止装置。
【請求項３】
請求項２において、前記侵入防止手段は、回転することによって前記対向面から出現する板状部材で構成され、前記閉鎖側先端部と前記対向面との間を覆うように保護した状態からさらに回転しないように構成されていることを特徴とする不正侵入防止装置。
【請求項４】
開口部を開閉するように動作する開閉手段と、
前記開閉手段の閉鎖時に、前記開閉手段の閉鎖側先端部と前記閉鎖側先端部に対向する対向面との間を覆うように保護する侵入防止手段と
を備えたことを特徴とする開閉体装置。
【発明の詳細な説明】
【０００１】
【発明の属する技術分野】
本発明は、ビル、工場、倉庫などの建物を含む構造物躯体の開口部に設置されるシャッターカーテンなどの開閉手段と対向面との間に不正に隙間を形成されて、この隙間から不正に侵入されることを防止する不正侵入防止装置及び開閉体装置に関する。
【０００２】
【従来の技術】
ビル、工場、倉庫などの建物を含む構造物躯体の開口部に設置されるシャッターなどの開閉体装置の中でも特に手動操作のシャッターの場合には、閉鎖時に、座板と床面を直接係合する錠などが特許文献１に開示されている。一方、電動で開閉動作を行うシャッターなどの場合には、閉鎖時に、座板と床面を直接係合する錠などを用いると、気付かずに開放操作してしまい、開放動作に支障をきたすおそれがあるため、積極的に利用されていない。このように電動で開閉動作を行うものは、その動作を制御するための有線式の操作スイッチ（ＰＢＳ）を備えるものが多く、第３者によって操作されないようにシリンダー錠を備え付けた鍵付ボックス内にＰＢＳを設置して防犯に備えている。
【特許文献１】
特開２００１−２８８９４３号公報
【０００３】
【発明が解決しようとする課題】
ところが、シャッターカーテンなどは上下の開閉動作を行うために、開放方向である上方向に持ち上げることによってレールとスラットとの間の遊びなどによって床面と座板との間に微小なすき間が形成されることがある。従って、そのすき間（シャッターカーテンなどの座板と床面との境界部分）に工具などが差し込まれ、不正に座板が上方向に持ち上げられ、その持ち上げられた個所から不正に侵入されてしまうおそれがある。
【０００４】
本発明の目的は、シャッターカーテンなどの開閉手段と対向面との間に不正に隙間を形成されて、この隙間から不正に侵入されることを防止することのできる不正侵入防止装置及び開閉体装置を提供することにある。
【０００５】
【課題を解決するための手段】
請求項１に係る不正侵入防止装置は、開口部を開閉する開閉手段の閉鎖時に、前記開閉手段の閉鎖側先端部と前記閉鎖側先端部に対向する対向面との間を覆うように保護する侵入防止手段を備えたものである。開閉手段の閉鎖側先端部と対向面との間を覆うことによって、開閉手段と対向面との間に工具などを差し込むことができなくなるために、不正に隙間を形成することができず、この隙間からの不正な侵入を防止することができる。また、侵入防止手段を取り除こうとした場合には、その作業に手間や時間を要するために侵入時間の遅延が増大され、防犯性能を向上することができる。
【０００６】
請求項２に係る不正侵入防止装置は、請求項１において、前記侵入防止手段は、前記開閉手段の開放時には前記対向面内に収納されており、前記開閉手段の閉鎖時にのみ前記対向面から出現するように構成されているものである。侵入防止手段としては、開閉手段の閉鎖側先端部と対向面との間を覆うことができるものであれば、開閉手段の閉鎖時に他の場所から侵入防止手段を持ち寄って設置することも可能であるが、ここでは、好ましい例として、侵入防止手段を対向面内に予め収納しておいて、開閉手段の閉鎖時に出現させるようにしたものである。
【０００７】
請求項３に係る不正侵入防止装置は、請求項２において、前記侵入防止手段は、回転することによって前記対向面から出現する板状部材で構成され、前記閉鎖側先端部と前記対向面との間を覆うように保護した状態からさらに回転しないように構成されているものである。これは、侵入防止手段を対向面内に予め設置しておき、開閉手段の閉鎖時に対向面から回転することによって出現するようにしたものである。このように侵入防止手段が回転して出現する場合、回転し過ぎて開閉手段の閉鎖側先端部と対向面との間を覆うことができなくなるのを防止するために、保護した状態からはさらに回転しないように構成したものである。
【０００８】
請求項４に係る開閉体装置は、開口部を開閉するように動作する開閉手段と、前記開閉手段の閉鎖時に、前記開閉手段の閉鎖側先端部と前記閉鎖側先端部に対向する対向面との間を覆うように保護する侵入防止手段とを備えたものである。これは、請求項１に記載された不正侵入防止装置を備えた開閉体装置に関するものである。従って、例えば、開閉手段が電動の場合には、開閉手段の閉鎖動作に連動して侵入防止手段が自動的に閉鎖側先端部と対向面との間を覆うように動作するようにするなどとしても良い。
【０００９】
【発明の実施の形態】
以下添付図面に従って本発明の好ましい実施の形態としてシャッターカーテン装置について説明する。図１は本発明に係るシャッターカーテン装置の概略を示す図であり、開閉手段としてのシャッターカーテンが全閉した状態を示す斜視図であり、図２はこのシャッターカーテン装置を横からみた概略図である。
【００１０】
このシャッターカーテン装置は、ビル、工場、倉庫などの建物を含む構造物躯体の開口部に設置されるものである。シャッターカーテン装置自体は従来のものと同様の構成をしており、開口部上側の構造物躯体に取り付けられシャッターケース１と、このシャッターケース１内に回動可能に設けられた巻取シャフト２によって巻き取られたり巻き戻されたりするシャッターカーテン３と、シャッターカーテン３の両端部を案内するように開口部側壁の構造物躯体に設けられたガイドレール４などから構成される。
【００１１】
このシャッターカーテン装置の場合、シャッターカーテンの座板と、座板の対向面となる床面５８との間のすき間への工具などの侵入を防止保護するような不正侵入防止板５２が床面５８に係合するように設けられている。この不正侵入防止板５２は、図２（Ａ）に示すように、シャッターカーテンが全開状態の場合には、床面５８の凹部に収納された状態にあり、シャッターカーテンの閉鎖動作の開始に伴って図２（Ｂ）に示すように凹部から回転して開口部前面（建物外部）側に跳ね上がり、座板と床面５８との間のすき間を開口部前面（建物外部）から覆い隠すことによって、そのすき間への工具などの侵入を防止保護している。
【００１２】
図３は、不正侵入防止装置の構成を示す斜視図である。図４は、不正侵入防止装置の防止板の閉じた状態を天井側から見た図である。図５は、図４の不正侵入防止装置の防止板の閉じた状態のＡ−Ａ線の断面図を示す図である。図６は、図４の不正侵入防止装置の防止板が開いた状態のヒンジ部の詳細を示す拡大断面図である。
【００１３】
不正侵入防止装置５０は、収納部５１、不正侵入防止板５２、油圧ダンパー５３，５４及びカンヌキ５５，５６から構成される。収納部５１は、全体的に長尺状の箱型をしており、不正侵入防止板５２を図５に示すように床面５８と同じレベルの高さとなるように収納する。この収納部５１は、全体が床面５８の凹部に一体的に収納固定されるようになっている。収納部５１は、図３に示すように両端にシャッターカーテン３の座板を受けるための切欠き部５１１，５１２を有する。従って、不正侵入防止板５２が跳ね上がった状態で、シャッターカーテン３の座板が切欠き部５１１，５１２を通過して収納部５１の底面に接触するようになっている。
【００１４】
不正侵入防止板５２は、図４に示すように、全体的に細長い長方形状をしており、両端部に切欠き部５１１，５１２によって形成される溝を塞ぐような突出部５２１，５２２を有する。突出部５２１，５２２には、長尺方向に沿ってストローク移動するカンヌキ５５，５６がカンヌキ金具５２５，５２６によって設けられている。このカンヌキ５５，５６は、不正侵入防止板５２が跳ね上がったときに開口部側壁に設けられたカンヌキ受け５２７，５２８に係合して、不正侵入防止板５２の動きを抑制するものである。また、不正侵入防止板５２には、未使用時に不正侵入防止板５２が不用意に開かないように留め金具５２９が備えられている。
【００１５】
収納部５１と不正侵入防止板５２とは、図６に示すようなヒンジ部を介して、回転可能に取り付けられている。また、収納部５１と不正侵入防止板５２とは油圧ダンパー５３，５４を介して結合されている。この油圧ダンパー５３，５４は、シャッターカーテン３の閉鎖時に不正侵入防止板５２を跳ね上げた場合に、不正侵入防止板５２が収納部５１に瞬時に戻るのを抑制している。また、不正侵入防止板５２は、矢印６０のようにほぼ９０度よりも大きく回転可動しないようになっている。これは前述のカンヌキ５５，５６と側壁に設けられたカンヌキ受け５２７，５２８及び油圧ダンパー５３，５４によって、その動きが抑制されるようになっており、さらにヒンジ部の構造からも矢印６０よりも大きく回転しないようになっているからである。これは、不正侵入防止板５２が回転し過ぎてシャッターカーテン３と床面５８との間を覆うことができなくなるのを防止するために設けられている。
【００１６】
上述の実施の形態では、不正侵入防止板が予め対向面（床面５８）に収納される場合について説明したが、対向面以外の開閉手段の近傍に隣接する、例えば、側壁などに収納され、設置の際にスライドあるいは回転などにより、出現するようにしても良く、開閉手段の閉鎖時に別の場所から不正侵入防止板を運搬して設置するようにしても良い。また、上述の実施の形態では、不正侵入防止板は単独で動作する場合について説明したが、開閉手段の閉鎖動作に連動して不正侵入防止板が設置されるようにしても良い。例えば、電動の開閉手段の場合には、開閉手段の閉鎖動作に合わせて侵入防止手段が自動的に閉鎖側先端部と対向面との間を覆うように回転動作して設置されるようにすればよい。なお、侵入防止手段を非設置状態（収納状態）にする場合には、開閉手段の開放動作に連動して収納されるようにしても、連動せず手動にて収納されるようにしても良い。
【００１７】
上述の実施の形態では、不正侵入防止板が１枚構成の場合について説明したが、開口部の大きさに応じて、複数の不正侵入防止板を設けるようにしても良い。また、不正侵入防止板は、開口部の外側すなわち屋外側に設けるのが好ましいが、防犯上の侵入時間を遅延させるという目的から考えると、屋内側のシャッターカーテン面近傍に設けてもよい。この場合は、外部からシャッターがこじ開けられても内部に設けてある侵入防止板の高さ以上にこじ開けないと侵入できないため、外側に設けた場合と同様に二重の防御となり、侵入時間の遅延効果がある。さらに、屋内外の双方に設ければより効果が増すことになる。
【００１８】
侵入防止板を設けた場合の副次的な効果として、豪雨時などに屋内に水などが流入するのを防止する防止板（防潮板）としての効果や、閉鎖状態にあるシャッターが強風による風圧等を受けた際において、シャッターカーテンの耐風圧強度を補助することができるという効果がある。
【００１９】
【発明の効果】
以上説明したように本発明の不正侵入防止装置及び開閉体装置によれば、シャッターカーテンなどの開閉手段と対向面との間に不正に隙間を形成されて、この隙間から不正に侵入されることを防止することができるという効果がある。
【図面の簡単な説明】
【図１】本発明に係るシャッターカーテン装置の概略を示す図であり、遮蔽手段としてのシャッターカーテンが全閉した状態を示す斜視図である。
【図２】図１のシャッターカーテン装置を横からみた概略図である。
【図３】不正侵入防止装置の構成を示す斜視図である。
【図４】不正侵入防止装置の防止板の閉じた状態を天井側から見た図である。
【図５】図４の不正侵入防止装置の防止板の閉じた状態のＡ−Ａ線の断面図を示す図である。
【図６】図４の不正侵入防止装置の防止板が開いた状態のヒンジ部の詳細を示す拡大断面図である。
【符号の説明】
１…シャッターケース
２…巻取シャフト
３…シャッターカーテン
４…ガイドレール
５１…収納部
５１１，５１２…切欠き部
５２…不正侵入防止板
５２１，５２２…突出部
５５，５６…カンヌキ
５２５，５２６…カンヌキ金具
５２７，５２８…カンヌキ受け
５２９…留め金具
５３，５４…油圧ダンパー
【図１】
2005036396.tif 000003
【図２】
2005036396.tif 000004
【図３】
2005036396.tif 000005
【図４】
2005036396.tif 000006
【図５】
2005036396.tif 000007
【図６】
2005036396.tif 000008